(57)【要約】【課題】スーパーインポーズ表示とファインダ視野制御との両方が可能であり、小型で構造がシンプルな表示装置を提供する。【解決手段】一対の透明な基板２４ａ,２４ｂの間に設けられ、前記基板の一方の表面から入射する光を他方の表面へ透過させる第１の光学材料層２６と、第１の光学材料層２６に設けられ前記一対の基板の側面から入射する光Ｌ０を、前記他方の表面から出射させることが可能な領域３２と、前記第１の光学材料層２６に隣接して前記一対の基板２４ａ,２４ｂの間に設けられ、前記一方の表面から入射する光Ｌ１を、前記他方の表面へ透過させる状態と、前記他方の表面から散乱させて出射、あるいは前記第１の光学材料層２６を透過した光とは別の方向に出射させる状態とに切換え可能な第２の光学材料層２７とを具備する表示装置２０。
2008105395.tif 000002
【特許請求の範囲】
【請求項１】
一対の透明な基板の間に設けられ、前記基板の一方の表面から入射する光を他方の表面へ透過させる第１の光学材料層と、
前記第１の光学材料層に設けられ、前記一対の基板の側面から入射する光を、前記他方の表面から出射させることが可能な領域と、
前記第１の光学材料層に隣接して前記一対の基板の間に設けられ、前記一方の表面から入射する光を、前記他方の表面へ透過させる状態と、前記他方の表面から散乱させて出射、あるいは前記第１の光学材料層を透過した光とは別の方向に出射させる状態とに切換え可能な第２の光学材料層と、を備える表示装置。
【請求項２】
前記第２の光学材料層は、前記第１の光学材料層とは異なる光学材料からなる請求項１に記載の表示装置。
【請求項３】
前記領域が、
高分子分散型液晶内に屈折率等方性領域と屈折率異方性領域との周期的構造から成る屈折率型回折格子を有し、
電圧が印加されない状態で、前記一対の基板の側面から入射する光を、前記一方の表面から入射する光とともに前記他方の表面から出射させるように構成してある請求項１または２に記載の表示装置。
【請求項４】
前記第２の光学材料層が、
電圧が印加されない状態では、前記一方の表面から入射する光を前記他方の表面から散乱させて出射、あるいは前記第１の光学材料層を透過した光とは別の方向に出射させるように構成してある請求項１〜３のいずれかに記載の表示装置。
【請求項５】
前記屈折率型回折格子は、前記屈折率等方性領域と前記屈折率異方性領域とが第１の方向に沿って縞状に交互に配置されて形成されており、前記一対の基板の側面のうち前記第１の方向と交差する側面から入射する光を、前記他方の表面から出射させることが可能である請求項１〜４のいずれかに記載の表示装置。
【請求項６】
前記一対の基板の側面に入射する光を発生する照明手段をさらに有する請求項１〜５のいずれかに記載の表示装置。
【請求項７】
前記第２の光学材料層は、前記照明手段からの光が入射しないように配置してある請求項６に記載の表示装置。
【請求項８】
前記第２の光学材料層は、前記照明手段からの光が、前記第２の光学材料層を通過した後に、前記第１の光学材料層に入射するように配置してある請求項６に記載の表示装置。
【請求項９】
前記照明手段による光の発生タイミングと、前記第１の光学材料層および前記第２の光学材料層に対する状態の切換えタイミングとを同期させることを特徴とする請求項８に記載の表示装置。
【請求項１０】
請求項１〜９のいずれかに記載の光学装置と、
接眼レンズと、
前記表示装置の前記基板の一方の表面から入射して他方の表面へ透過した被写体光を、前記接眼レンズへ導く光学部材と、を有するファインダ装置。
【請求項１１】
請求項１０に記載のファインダ装置を有するカメラ。
【発明の詳細な説明】
【技術分野】
【０００１】
本発明は、入射光に対して種々の情報を重ねて出射可能な表示装置、ファインダ装置およびカメラに関する。
【背景技術】
【０００２】
従来から、カメラのファインダ視野内に焦点検出エリアなどの種々の情報を被写体像に重ねて表示する、いわゆるスーパーインポーズ表示を行うファインダ装置が知られている。また一方で、ノーマルモードとパノラマモードのように、撮像範囲の縦横比の異なる、複数の撮影モードを有するカメラが知られている。このようなカメラには、撮像範囲外となる領域を減光又は発光表示し、ファインダ視野制御を行うファインダ装置が搭載されている。【０００３】
さらに、スーパーインポーズ表示と、ファインダ視野制御との両方の機能を有するファインダ装置として、例えば特許文献１に示すものが開示されている。【０００４】
特許文献１に示すファインダ装置は、ファインダ視野制御を行う液晶表示装置と、スーパーインポーズ表示を行う液晶表示装置とからなる２つの液晶表示装置を有している。前記２つの液晶表示装置に表示された像は、それぞれ最終的に一つの接眼レンズへと導かれ、撮影者に観察される像は両者を結合したものとなり、スーパーインポーズ表示とファインダ視野制御を両立している。【０００５】
しかしながら、特許文献１に示すファインダ装置では、２つの液晶表示装置を有していることから、それぞれに対応する光学系・電気系システムが必要となっており、装置が大きく、構造が複雑になるという問題があった。
【特許文献１】特開平１０−１８６４９０号公報
【発明の開示】
【発明が解決しようとする課題】
【０００６】
本発明は、このような実状に鑑みてなされ、その目的は、スーパーインポーズ表示とファインダ視野制御との両方が可能であり、小型で構造がシンプルな表示装置を提供することである。また、そのような表示装置を利用したファインダ装置およびカメラを提供することである。
【課題を解決するための手段】
【０００７】
上記目的を達成するために、本発明に係る表示装置は、
一対の透明な基板の間に設けられ、前記基板の一方の表面から入射する光を他方の表面へ透過させる第１の光学材料層と、
前記第１の光学材料層に設けられ、前記一対の基板の側面から入射する光を、前記他方の表面から出射させることが可能な領域と、
前記第１の光学材料層に隣接して前記一対の基板の間に設けられ、前記一方の表面から入射する光を、前記他方の表面へ透過させる状態と、前記他方の表面から散乱させて出射、あるいは前記第１の光学材料層を透過した光とは別の方向に出射させる状態とに切換え可能な第２の光学材料層と、を備える。【０００８】
好ましくは、前記第２の光学材料層は、前記第１の光学材料層とは異なる光学材料からなる。【０００９】
好ましくは、前記領域が、
高分子分散型液晶内に屈折率等方性領域と屈折率異方性領域との周期的構造から成る屈折率型回折格子を有し、
電圧が印加されない状態で、前記一対の基板の側面から入射する光を、前記一方の表面から入射する光とともに前記他方の表面から出射させるように構成してある。【００１０】
好ましくは、前記第２の光学材料層が、
電圧が印加されない状態では、前記一方の表面から入射する光を前記他方の表面から散乱させて出射、あるいは前記第１の光学材料層を透過した光とは別の方向に出射させるように構成してある。【００１１】
好ましくは、本発明に係る表示装置では、
前記屈折率型回折格子は、前記屈折率等方性領域と前記屈折率異方性領域とが第１の方向に沿って縞状に交互に配置されて形成されており、前記一対の基板の側面のうち前記第１の方向と交差する側面から入射する光を、前記他方の表面から出射させることが可能である。【００１２】
好ましくは、本発明に係る表示装置では、
前記一対の基板の側面に入射する光を発生する照明手段をさらに有する。【００１３】
本発明に係る表示装置では、
前記第２の光学材料層は、前記照明手段からの光が入射しないように配置してあっても良い。【００１４】
また、前記第２の光学材料層は、前記照明手段からの光が、前記第２の光学材料層を通過した後に、前記第１の光学材料層に入射するように配置してあっても良い。【００１５】
好ましくは、前記照明手段による光の発生タイミングと、前記第１の光学材料層および前記第２の光学材料層に対する状態の切換えタイミングとを同期させるように構成してあっても良い。【００１６】
本発明に係るファインダ装置は、上記のいずれかに記載の光学装置と、
接眼レンズと、
前記表示装置の前記基板の一方の表面から入射して他方の表面へ透過した被写体光を、前記接眼レンズへ導く光学部材と、を有する。【００１７】
本発明に係るカメラは、このようなファインダ装置を有する。
【図面の簡単な説明】
【００１８】
【図１】図１は本発明の一実施形態に係る表示装置が内蔵されたファインダ装置を有するカメラの概略図である。
【図２】図２は図１に示す表示装置のパノラマモードにおける平面概略図である。
【図３】図３は図２に示す表示装置のIII−III線に沿う断面図である。
【図４】図４は図１に示す表示装置のノーマルモードにおける平面概略図である。
【図５】図５は図４に示す表示装置のＶ−Ｖ線に沿う断面図である。
【図６】図６は本発明の一実施形態に係る回折型表示装置の断面概略図である。
【図７】図７は本発明の他の実施形態に係る表示装置の概略平面図である。
【図８】図８は図７に示す表示装置のＶIII−ＶIII線に沿う断面図である。
【図９】図９は図７に示す表示装置における、照明装置に対する発光および第２光学材料層に対する電圧印加のタイミングパルスを表す概念図である。
【図１０】図１０は図７に示す表示装置における、瞬間的な一表示状態を表す概略平面図である。
【図１１】図１１は図１０に示す表示装置のＸI−ＸI線に沿う断面図である。
【図１２】図１２は図７に示す表示装置における、瞬間的な他の一表示状態を表す概略平面図である。
【図１３】図１３は図１２に示す表示装置のＸIII−ＸIII線に沿う断面図である。
【発明を実施するための最良の形態】
【００１９】
以下、本発明を、図面に示す実施形態に基づき説明する。
第１実施形態【００２０】
図１に示すように、本発明の一実施形態に係る一眼レフカメラ２は、カメラボディ４を有し、カメラボディ４には、撮影レンズ６を備えるレンズ鏡筒７が交換可能に装着されている。一眼レフカメラ２としては、記録媒体８として銀塩フィルムを用いるフィルム式カメラでも、記録媒体８としてＣＣＤやＣＭＯＳ等の撮像素子が用いられる一眼レフ方式のデジタルカメラでもよい。【００２１】
撮影レンズ６と記録媒体８との間には、被写体１４からの被写体光Ｌ１をファインダ光学系へと反射するクイックリターンミラー１０が配設されている。なお、図示していないが、記録媒体８とクイックリターンミラー１０との間にはシャッタが設けられている。【００２２】
記録媒体８の画像結像面と光学的に共役な位置には、ファインダスクリーン１２が配置されており、被写体１４からの被写体光Ｌ１はクイックリターンミラー１０に反射されてファインダスクリーン１２上に結像する。さらに、後述する表示素子２１上で、ファインダスクリーン１２上に結像された被写体像と、表示素子２１による液晶表示とが重ね合わされる。表示素子２１上に形成された合成像は、ペンタプリズム１６および接眼レンズ１８を介して、撮影者に観察される。なお、撮影の際には、クイックリターンミラー１０が被写体光Ｌ１の光路上から光路外へと移動され、記録媒体８上に被写体像が結像される。【００２３】
カメラボディ４内には、ファインダ装置が内蔵してある。ファインダ装置は、ファインダスクリーン１２と、ペンタプリズム１６と、接眼レンズ１８と、表示装置２０とを有する。表示装置２０は、光学素子２１と光源２２とを有する。【００２４】
表示装置２０の光学素子２１は、ファインダスクリーン１２に隣接して配置されている。光学素子２１としては、高分子分散型液晶表示素子が用いられ、さらに詳しくは、回折型と散乱型を組み合わせた複合液晶表示素子が用いられる。光学素子２１の側方には、光学素子２１を照明するための光源２２が配置されている。光源２２としては、たとえばＬＥＤ等が用いられる。【００２５】
図２および図３に示すように、光学素子２１は、矩形平板形状を有している。さらに平板形状は、縦方向Ｙに対して横方向Ｘが長い、横長の長方形状である。光学素子２１の縦方向Ｙ長さと横方向Ｘ長さとの長短比（アスペクト比）は、ノーマルモードの視野範囲のアスペクト比と略同一に設定してある。【００２６】
光学素子２１の縦方向Ｙの両脇には、それぞれ視野制御領域３１が形成されている。２つの視野制御領域３１に挟まれた中央部分に、常時視野領域３０が形成されている。常時視野領域３０のアスペクト比は、パノラマモードの視野範囲のアスペクト比と略同一に設定してある。【００２７】
図３に示すように、視野制御領域３１と常時表示領域３０は、透明な第１基板２４ａと、それに対向する透明な第２基板２４ｂと、外周部を封止するシール剤２８ｂ（透明であることが好ましい）によって一体的に形成されている。【００２８】
視野制御領域３１には、電圧の印加・無印加により、入射光の透過・散乱を切り替える、散乱型光学素子からなる第２光学材料層２７が形成されている。第２光学材料層２７をＺ方向に挟む透明基板２４ａ,２４ｂの対向する内面全面には、透明電極３８ａ,３８ｂが形成されている。透明電極３８ａ,３８ｂは、それぞれ図１に示す配線５２を通して駆動回路５０によって通電を制御され、それに応じて第２光学材料層２７への電圧の印加が制御される。【００２９】
第２光学材料層２７は、透明電極３８ａ,３８ｂ間に電圧が無印加の状態では、入射光を散乱させる（図３）。一方、透明電極３８ａ,３８ｂ間に電圧が印加された状態では、前記層２７は、入射光を透過させる（図５）。【００３０】
常時表示領域３０には、電圧の印加・無印加により、入射光の透過・回折を切り替える回折型光学素子を有する第１光学材料層２６が形成されている。図３に示すように、第１光学材料層２６には、表示部３２と、非表示部３４とが配置してある。表示部３２には、各基板２４ａ，２４ｂの対向する内面に、第１透明電極３６ａおよび第２透明電極３６ｂがそれぞれ形成されている。【００３１】
これらの対向する透明電極３６ａ，３６ｂは同一形状に形成されており、表示部３２の表示形態（文字や図形）に応じた形状を有している。この実施形態では、図２に示すように、各表示部３２の表示形態は、略長方形のリング形状を構成している。これらの透明電極３６ａ，３６ｂは、図１に示す配線５２を通じて駆動回路５０に接続され、駆動回路５０により、表示部３２に対する電圧の印加が制御される。なお、いずれか片側の透明電極３６ａ、３６ｂは、パターン化されていない全面電極であってもよい。【００３２】
第１光学材料層２６の表示部３２は、液晶ホログラムとなっている部分であり、回折型光学素子を採用している。表示部３２は、図６に示すように、屈折率等方性領域４０と屈折率異方性領域４２とが、光学素子２１の平面に沿うように、しかも、光源２２からの照明光Ｌ０の進行方向Ｘに交互に繰り返される縞状の多層構造を形成している。【００３３】
このような多層構造を形成するには、まず、屈折率等方性を有する材料（高分子モノマー）と屈折率異方性を有する材料（液晶）液晶との混合液を、透明基板２４ａ，２４ｂおよびシール剤２８ａに挟まれた常時視野領域３０に充填する。その後、レーザ光等を用いて干渉縞４４を形成し、前記常時表示領域３０を照射する。そのとき、非表示部３４に干渉縞４４が形成されないように、基板２４a,２４ｂにマスクを形成する。【００３４】
モノマーは光重合により硬化するが、この際、干渉により光強度が強くなっている干渉縞明部４４ａにおいてはモノマーが硬化したポリマーの層が形成される。【００３５】
逆に、光強度が弱い干渉縞暗部４４ｂにおける光重合速度は、干渉縞明部４４ａにおける光重合速度よりも遅いため、光強度が強い領域（光重合速度が速い部分）にモノマーが引き寄せられる分だけ液晶の方の密度が高くなる。【００３６】
その結果、ポリマーからなる屈折率等方性領域４０と液晶密度の高いポリマーからなる屈折率異方性領域４２との多層積層構造が、干渉縞と同一パターンで形成される。屈折率等方性領域４０と屈折率異方性領域４２との多層積層構造の繰り返しピッチ間隔は、約１００ｎｍ程度のオーダーである。【００３７】
表示部３２には、透明電極３６ａ，３６ｂによって電圧を印加することができるが、ポリマーからなる屈折率等方性領域４０は、電圧が印加されているか否かによらず等方的な屈折率を有している。一方、ポリマー中に液晶が分散している屈折率異方性領域４２は、電圧が印加されているか否かによって液晶の配向が変化し、それに伴って屈折率も変化する。【００３８】
表示部３２に電圧が印加されていない状態では、光源２２からの照明光Ｌ０のように表示部３２の積層方向（Ｘ方向）に向かって入射する光に対しては、液晶の屈折率とポリマーの屈折率とはブラッグ回折条件を満たすような互いに異なった屈折率値をとるようになっている。すなわち、電圧が印加されていない状態では、表示部３２には屈折率の大きい層と屈折率の小さい層とが交互に並んだ屈折率型回折格子が形成される。【００３９】
このときの回折条件は、光源２２からＸの正方向に向かって第１光学材料層２６内に入射する照明光Ｌ０を、表示部３２において回折させ、その回折光Ｌ２が図１に示すペンタプリズム１６の方向（図６ではＺの正方向）に回折されるように設定されている。【００４０】
一方、表示部３２に電圧が印加された状態では、屈折率異方性領域４２内の液晶の配向が変化するとともに屈折率も変化し、液晶の屈折率がポリマーの屈折率と等しくなる。その結果、光源２２から第１光学材料層２６内に入射する照明光Ｌ０は、前記回折を起こさず表示部３２を透過する。【００４１】
なお、非表示部３４は、ポリマーと液晶とが混合された状態で硬化して散在しており、照明光Ｌ０および被写体光Ｌ１は、非表示部３４を透過する。【００４２】
図２および図３は、パノラマモードにおける表示素子２１の表示状態を示している。第２光学材料層２７には電圧が印加されていないため、ファインダスクリーン１２から前記層２７に入射した被写体光Ｌ１は散乱する。被写体光Ｌ１は、散乱光Ｌ３として出射される。【００４３】
したがって表示素子２１の視野制御領域３１は、第２光学材料層２７によって黒色ないしグレーに表示され、撮影者は該当する部分の被写体像を視認できない。その結果、撮影者は、パノラマモードと略同一のアスペクト比に設定された常時視野領３０のみを、視野範囲として認識できる。【００４４】
なお、光学素子２１と光源２２の間に、フィルタ６０として、コリメート光学系を適切に配置しても良い。コリメート光学系は、光源の照明光Ｌ０をＸ軸に対して平行光束化し、かつ、第２光学材料層２７に照明光Ｌ０を侵入させないようにすることができる。これによれば、第２光学材料層２７が光源２２の照明光Ｌ０を散乱することがなく、視野制御領域３１の表示をさらに黒色に近づけることができる。また、第１光学材料層２６中での照明光Ｌ０の減衰が抑制されるため、後述の表示部３２による表示がより明瞭となる。【００４５】
常時表示領域３０では、配置された表示部３２のうち、中央の一つと、中央と素子２１の４角を結ぶ対角線上にある４つの、計５つの表示部３２に、透明電極３６ａ,３６ｂによって電圧が印加されている。【００４６】
電圧が印加された５つの表示部３２は、前記照明光Ｌ０を透過し、回折光Ｌ２を形成しないため、マーク表示を行わない。【００４７】
それに対して、前記５つの表示部以外の表示部３２には電圧が印加されておらず、屈折率が異なる層が交互に積層している屈折率型回折格子を形成している。したがって、光学素子２１の短辺側面２１ａから、非表示部３４を透過して、これらの表示部３２に入射する照明光Ｌ０を、ペンタプリズム方向（Ｚの正方向）に回折し、回折光Ｌ２を出射することにより、リング形状のマーク表示を行う。【００４８】
また、第１光学材料層２６は常にファインダスクリーン１２からの被写体光Ｌ１を透過するため、被写体像に重ねて前記マーク表示を行う、いわゆるスーパーインポーズ表示が可能となる。【００４９】
図４および図５は、ノーマルモードにおける表示素子２１の表示状態を示している。第２光学材料層２７は、それを挟む透明電極３８ａ,３８ｂによって電圧が印加されている。したがって、ファインダスクリーン１２から光学材料層２７に入射した被写体光Ｌ１は、第１光学材料層２６に入射した被写体光Ｌ１と同様に、前記光学層２７を透過する。【００５０】
したがって、撮影者は、視野制御領域３１と常時表示領域３０とを通して、表示素子２１の全体で、被写体像を見ることができる。このとき撮影者は、ノーマルモードと略同一のアスペクト比に設定された表示素子２１全体を、視野範囲であると認識できる。【００５１】
またノーマルモードにおいても、第１光学材料層２６では、図４および図５に示すように、パノラマモードの際と同様の方法で、スーパーインポーズ表示を行うことができる。【００５２】
以上のように、本実施形態に係る表示装置２０は、スーパーインポーズ表示とファインダ視野制御との両方を、一つの表示装置で実現している。このような構成とすることで、本実施形態に係る表示装置２０は、多機能でありながら、小型で構造がシンプルな表示装置を実現できる。【００５３】
また、本実施形態に係る表示装置２０を有するファインダ装置では、従来技術において２つの液層表示装置で実現していた機能を合わせ持つため、従来技術においてそれぞれに対応して設けられていた光学系・電気系システムが一つに統括される。このことは、ファインダ装置の小型化および構造の単純化に大きく貢献する。【００５４】
さらに、本実施形態に係る表示装置２０を搭載することで、多機能かつ小型のカメラを実現できる。
第２実施形態【００５５】
この実施形態では、図７に示すように、常時表示領域３０のアスペクト比をノーマルモードのファインダ視野範囲のアスペクト比に、光学素子２１全体のアスペクト比をパノラマモードのファインダ視野範囲のアスペクト比に、それぞれ対応して構成している。すなわち視野制御領域３１が、光学素子２１の横方向（Ｘ方向）の両脇に配置されている点で、第１実施形態と異なる。【００５６】
また、光源２２の照明光Ｌ０の発生タイミングと、第１光学材料層２６および第２光学材料層２７に対する駆動電圧の印加タイミングとを同期させる制御手段５４をさらに有している点で、第１実施形態と異なる。その他の構成は、第１実施形態と同様である。【００５７】
図７および図８は、第２実施形態に係る表示素子２１のノーマルモードでの表示状態を表している。この実施形態では、照明光Ｌ０が、第２光学材料層２７を通過した後に、前記第１の光学材料層２６に入射する。しかしながら、第２光学材料層２７に電圧が印加されていない状態では、光源２２からの照明光Ｌ０は、第２光学材料層２７で散乱し、その大部分が第１光学材料層２６に入射しない。したがって、第２光学材料層に電圧が印加されない状態のままでは、第１光学材料層２６によるスーパーインポーズ表示ができない。【００５８】
そこで本実施形態では、制御手段５４を用い、光源２２の点灯と第２光学材料層２７に対する駆動電圧の印加とを、後述のように制御することにより、この問題を解決している。なお制御手段５４は、図１に示す駆動回路５０に組み込まれていることが望ましい。【００５９】
図９は、光源２２の照明光Ｌ０の発生タイミングパルス（Ａ）と、第２光学材料層２７に対する電圧の印加タイミングパルス（Ｂ）とを示している。これらのパルス（Ａ）および（Ｂ）は制御手段５４によって制御される。パルス（Ａ）がＯＮの状態では、光源２２は点灯しており、ＯＦＦの状態では消灯している。パルス（Ｂ）がＯＮの状態では、第１光学材料層に電圧が印加されており、ＯＦＦの状態では電圧が印加されていない。前記タイミングパルス（Ａ）と前記タイミングパルス（Ｂ）は同期している。【００６０】
各タイミングパルス（Ａ）,（Ｂ）の周期は、点灯と消灯の切り替えによる表示部３２のちらつきが、人間の目に気にならない程度の高速に設定される。具体的には、人間の目の応答周波数の限界値である５０〜６０ＫＨｚを超える値に設定することが望ましい。【００６１】
図１０および図１１は、各パルスがＯＮの状態における、光学素子２１の表示状態を表している。光源２２は点灯しており、フィルタ６０で平行光束化された照明光Ｌ０は、まず光源側に位置する第２光学材料層２７に入射する。【００６２】
第２光学材料層２７には電圧が印加されているため、前記入射した照明光Ｌ０は、前記層２７をＸ正方向に透過する。同時に被写体光Ｌ１も、第２光学材料層２７をＺ方向に透過する。【００６３】
第１光学材料層２６は、第２光学材料層２７を透過した照明光Ｌ０が入射してくるため、第１実施形態と同様に、マーク表示を行うことができる。図１０および図１１では、第１光学材料層２６の表示部３２のうち、Ｘ方向中央部およびＹ方向中央部に並ぶ７つの表示部３２に対して、電圧が印加されていない。したがって前記７つの表示部３２において、入射照明光Ｌ０を回折して回折光Ｌ２を形成し、マーク表示を点灯する。また第１実施形態と同様に、被写体光Ｌ１は第１光学材料層を透過する。【００６４】
図１２および図１３は、各パルスがＯＦＦの状態における、光学素子２１の表示状態を表している。光源２２は消灯しており、光学素子２１へ侵入する照明光Ｌ０は存在しない。【００６５】
第２光学材料層は、電圧が無印加の状態であり、被写体光Ｌ１を散乱させる。したがって光学素子２１は、第２光学材料層２７に該当する部分を黒色ないしグレーに表示する。【００６６】
第１光学材料層２６は被写体光Ｌ１を透過させるのみで、すべての表示部３２は、マーク表示を消灯している。【００６７】
結果として第２実施形態における光学素子２１は、そのノーマルモードにおいて、図１０および図１１の表示状態と、図１２および図１３の表示状態とを、印加されるパルスの周期で繰り返すことにより、図７および図８に示すような表示状態となる。【００６８】
図７および図８に示すように、視野制御領域３１は、第２光学材料層２７が被写体光Ｌ１をパルス周期で散乱・遮光するため、黒色ないしグレーに表示される。したがって、接眼レンズから観察する撮影者は、被写体光Ｌ１が常時透過している常時表示領域３０のみを視野範囲と認識する。【００６９】
常時表示領域３０では、電圧が無印加である表示部３２が、印加されるパルス周期で回折光Ｌ２を形成し、マーク表示を行っている。また第１光学材料層２６は、被写体光Ｌ１を常時透過する。それにより常時表示領域３０では、被写体像に前記マーク表示が重ねて表示され、いわゆるスーパーインポーズ表示が可能となっている。【００７０】
なお、第２実施形態に係る表示素子において、パノラマモードでスーパーインポーズ表示を行う場合には、ノーマルモードのような問題は発生せず、第１実施形態と同様に行うことができるため、説明を省略する。【００７１】
このような構成とすることにより、光源２２の位置と各光学材料層２６,２７の位置関係に関する制約が軽減され、設計の自由度が高くなる。すなわち、常時表示領域３０の割合を大きく設計し、視野範囲を広げることが可能となる。また、光源２２を最適な空きスペースに配置することにより、カメラの小型化に貢献できる。
その他の実施形態【００７２】
その他の実施形態においては、第２光学材料層２７を回折型光学素子としても良い。この場合、第２光学材料層２７は、被写体光Ｌ１を接眼レンズ１８へ向かう方向以外へ回折させ、視野制御を実現することができる。すなわち、第２光学材料層２７へ入射した光を、第１光学材料層２６を透過する被写体光Ｌ１とは別の方向へ出射させても良い。【００７３】
また、視野制御により選択される撮影モードは、パノラマモードとノーマルモードに限られず、任意のアスペクト比よりなる２つの撮影モードを選択することができる。さらに、アスペクト比を変更せず視野面積のみを切り替えてもよく、また、３種類以上の撮影モードを選択可能としても良い。【００７４】
視野範囲を制限して撮影する別のモードとして、高速連射撮影をするモードがある。撮像素子から出力される撮像信号のうちの、制限された視野範囲に対応する撮像領域の撮像信号に基づいて画像処理を行うようにすれば、撮像領域が小さなものほど画像サイズが小さくなり、高速に画像処理ができる、したがって、高速連射が可能になる。
【図１】
2008105395.tif 000003
【図２】
2008105395.tif 000004
【図３】
2008105395.tif 000005
【図４】
2008105395.tif 000006
【図５】
2008105395.tif 000007
【図６】
2008105395.tif 000008
【図７】
2008105395.tif 000009
【図８】
2008105395.tif 000010
【図９】
2008105395.tif 000011
【図１０】
2008105395.tif 000012
【図１１】
2008105395.tif 000013
【図１２】
2008105395.tif 000014
【図１３】
2008105395.tif 000015
【国際調査報告】
2008105395.tif 000016
2008105395.tif 000017
2008105395.tif 000018
2008105395.tif 000019